(57)【要約】  【課題】  映像を従来より途切れ難くすることができる映像配信システムを提供する。  【解決手段】  映像配信システム１０は、デジタル放送波上の１０分間分の映像情報である１０分間映像情報を１０分間映像情報の通常の再生速度より速い通信速度で送信する映像送信装置２０と、映像送信装置２０によって送信された１０分間映像情報を再生する映像再生装置３０とを備え、映像送信装置２０と映像再生装置３０との間の通信が途切れずに１０分間映像情報が映像送信装置２０から映像再生装置３０に送信される場合の最大所要時間は、映像送信装置２０による１０分間映像情報の送信開始時から映像再生装置３０による１０分間映像情報の再生開始予定時までより短い。【選択図】  図１
2005295330.tif 000002
【特許請求の範囲】
【請求項１】
放送波上の所定時間分の映像情報である所定時間映像情報を前記所定時間映像情報の所定の再生速度より速い通信速度で送信する映像送信装置と、前記映像送信装置によって送信された前記所定時間映像情報を再生する映像再生装置とを備え、
前記映像送信装置と前記映像再生装置との間の通信が途切れずに前記所定時間映像情報が前記映像送信装置から前記映像再生装置に送信される場合の最大所要時間は、前記映像送信装置による前記所定時間映像情報の送信開始時から前記映像再生装置による前記所定時間映像情報の再生開始予定時までより短いことを特徴とする映像配信システム。
【請求項２】
前記映像送信装置は、前記所定時間映像情報をメタコンテンツ化して送信することを特徴とする請求項１に記載の映像配信システム。
【請求項３】
前記映像送信装置による前記所定時間映像情報の送信終了時は、前記再生開始予定時より後であることを特徴とする請求項１に記載の映像配信システム。
【請求項４】
前記映像再生装置は、前記所定時間映像情報の実際の再生開始時が前記再生開始予定時より後であるとき、前記所定の再生速度より速い速度で前記所定時間映像情報を再生することを特徴とする請求項１に記載の映像配信システム。
【請求項５】
放送波上の所定時間分の映像情報であり映像再生装置が再生するための所定時間映像情報を前記所定時間映像情報の所定の再生速度より速い通信速度で送信する映像送信手段を備え、
前記映像送信手段と前記映像再生装置との間の通信が途切れずに前記所定時間映像情報が前記映像送信手段から前記映像再生装置に送信される場合の最大所要時間は、前記映像送信手段による前記所定時間映像情報の送信開始時から前記映像再生装置による前記所定時間映像情報の再生開始予定時までより短いことを特徴とする映像送信装置。
【請求項６】
放送波上の所定時間分の映像情報である所定時間映像情報を前記所定時間映像情報の所定の再生速度より速い通信速度で送信する映像送信装置によって送信された前記所定時間映像情報を再生する映像再生手段を備え、
前記映像送信装置と前記映像再生手段との間の通信が途切れずに前記所定時間映像情報が前記映像送信装置から前記映像再生手段に送信される場合の最大所要時間は、前記映像送信装置による前記所定時間映像情報の送信開始時から前記映像再生手段による前記所定時間映像情報の再生開始予定時までより短いことを特徴とする映像再生装置。
【発明の詳細な説明】
【技術分野】
【０００１】
本発明は、映像を配信する映像配信システムに関するものである。
【背景技術】
【０００２】
従来の映像配信システムとしては、送信される電波を受信し映像化する車載用ＴＶ録画再生装置を備えたものが知られている（例えば特許文献１参照。）。
【特許文献１】特開２００３−２４４５９１号公報（第４頁、第１図）
【発明の開示】
【発明が解決しようとする課題】
【０００３】
しかしながら、従来の映像配信システムにおいては、トンネル等の遮蔽物によって車載用ＴＶ録画再生装置への電波が遮断されると映像が途切れるという問題があった。
【０００４】
本発明は、従来の問題を解決するためになされたもので、映像を従来より途切れ難くすることができる映像配信システムを提供することを目的とする。
【課題を解決するための手段】
【０００５】
本発明の映像配信システムは、放送波上の所定時間分の映像情報である所定時間映像情報を前記所定時間映像情報の所定の再生速度より速い通信速度で送信する映像送信装置と、前記映像送信装置によって送信された前記所定時間映像情報を再生する映像再生装置とを備え、前記映像送信装置と前記映像再生装置との間の通信が途切れずに前記所定時間映像情報が前記映像送信装置から前記映像再生装置に送信される場合の最大所要時間は、前記映像送信装置による前記所定時間映像情報の送信開始時から前記映像再生装置による前記所定時間映像情報の再生開始予定時までより短い構成を有している。
【０００６】
この構成により、本発明の映像配信システムは、映像再生装置が所定時間映像情報を取得する時間に余裕があるので、映像再生装置によって再生される映像を従来より途切れ難くすることができる。
【０００７】
また、本発明の映像配信システムは、前記映像送信装置は、前記所定時間映像情報をメタコンテンツ化して送信する構成を有している。
【０００８】
この構成により、本発明の映像配信システムは、誤り訂正が必要な通信プロトコルを用いる構成と比較して映像情報の通信を高効率に行うことができるので、映像再生装置によって再生される映像をより途切れ難くすることができる。
【０００９】
また、本発明の映像配信システムは、前記映像送信装置による前記所定時間映像情報の送信終了時は、前記再生開始予定時より後である構成を有している。
【００１０】
この構成により、本発明の映像配信システムは、再生開始予定時より後であっても所定時間映像情報の再生を開始することができるので、再生開始予定時より後に所定時間映像情報の再生を開始することができない構成と比較して、映像再生装置によって再生される映像が途切れる時間を短縮することができる。
【００１１】
また、本発明の映像配信システムは、前記映像再生装置は、前記所定時間映像情報の実際の再生開始時が前記再生開始予定時より後であるとき、前記所定の再生速度より速い速度で前記所定時間映像情報を再生する構成を有している。
【００１２】
この構成により、本発明の映像配信システムは、映像情報全体の再生の遅れを抑止しながらも、映像の内容の連続性を維持することができる。
【００１３】
また、本発明の映像送信装置は、放送波上の所定時間分の映像情報であり映像再生装置が再生するための所定時間映像情報を前記所定時間映像情報の所定の再生速度より速い通信速度で送信する映像送信手段を備え、前記映像送信手段と前記映像再生装置との間の通信が途切れずに前記所定時間映像情報が前記映像送信手段から前記映像再生装置に送信される場合の最大所要時間は、前記映像送信手段による前記所定時間映像情報の送信開始時から前記映像再生装置による前記所定時間映像情報の再生開始予定時までより短い構成を有している。
【００１４】
この構成により、本発明の映像送信装置は、映像再生装置に所定時間映像情報を取得させる時間に余裕があるので、映像再生装置によって再生される映像を従来より途切れ難くすることができる。
【００１５】
また、本発明の映像再生装置は、放送波上の所定時間分の映像情報である所定時間映像情報を前記所定時間映像情報の所定の再生速度より速い通信速度で送信する映像送信装置によって送信された前記所定時間映像情報を再生する映像再生手段を備え、前記映像送信装置と前記映像再生手段との間の通信が途切れずに前記所定時間映像情報が前記映像送信装置から前記映像再生手段に送信される場合の最大所要時間は、前記映像送信装置による前記所定時間映像情報の送信開始時から前記映像再生手段による前記所定時間映像情報の再生開始予定時までより短い構成を有している。
【００１６】
この構成により、本発明の映像再生装置は、所定時間映像情報を取得する時間に余裕があるので、再生する映像を従来より途切れ難くすることができる。
【発明の効果】
【００１７】
本発明は、映像を従来より途切れ難くすることができる映像配信システムを提供することができるものである。
【発明を実施するための最良の形態】
【００１８】
以下、本発明の一実施の形態について、図面を用いて説明する。
【００１９】
まず、本実施の形態に係る映像配信システムの構成について説明する。
【００２０】
図１に示すように、本実施の形態に係る映像配信システム１０は、デジタル放送波上の１０分間分の映像情報（以下「１０分間映像情報」という。）を送信する映像送信装置２０と、車両等の図示していない移動体に搭載されて映像情報を再生する映像再生装置３０とを備えている。
【００２１】
ここで、映像送信装置２０は、デジタル放送波から図示していないＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４ケーブルを介してＭＰＥＧ（Ｍｏｖｉｎｇ  Ｐｉｃｔｕｒｅ  Ｅｘｐｅｒｔｓ  Ｇｒｏｕｐ）−２信号による映像情報を抽出する映像情報抽出部２１と、映像情報抽出部２１によって抽出された映像情報を１０分間分ずつファイル化して１０分間映像情報のファイル（以下「１０分間ファイル」という。）を順次生成するファイル生成部２２と、ファイル生成部２２によって生成された１０分間ファイルをメタコンテンツ化して複数のパケットを生成するパケット生成部２３と、パケット生成部２３によって生成された複数のパケットを１０分間映像情報の通常の再生速度より速い通信速度で映像再生装置３０に無線で送信する映像送信手段としてのパケット送信部２４とを有している。
【００２２】
なお、パケット送信部２４によって送信されるパケットは、所定の数だけあれば元の１０分間ファイルに復元されることが可能である。ここで、所定の数とは、同一の１０分間ファイルがメタコンテンツ化されて生成された複数のパケットのみをパケット送信部２４が中断することなく送信し続けたときに、５分間で送信される数である。
【００２３】
また、パケット送信部２４による無線での送信としては、例えば、衛星波や放送電波を利用した送信や、道路や線路脇に設置された狭域無線装置を利用した送信等がある。
【００２４】
また、映像再生装置３０は、映像送信装置２０によって送信されたパケットを受信するゲートウェイ装置４０と、ＭＰＥＧ−２信号をデコードして映像化するチューナ５０と、映像を表示するディスプレイ６０とを有している。
【００２５】
ここで、ゲートウェイ装置４０は、映像送信装置２０によって送信されたパケットを受信するパケット受信部４１と、パケット受信部４１によって受信された複数のパケットに基づいて１０分間ファイルを復元するファイル復元部４２と、ファイル復元部４２によって復元された１０分間ファイルにＩＥＥＥ１３９４ヘッダを付して図示していないＩＥＥＥ１３９４ケーブルを介してチューナ５０に出力するファイル出力部４３とを有している。
【００２６】
また、チューナ５０は、ゲートウェイ装置４０によって出力された１０分間ファイルを入力するファイル入力部５１と、ファイル入力部５１によって入力された１０分間ファイルをデコードして出力信号を生成する映像再生手段としての出力信号生成部５２と、出力信号生成部５２によって生成された出力信号をディスプレイ６０に出力する信号出力部５３とを有している。なお、チューナ５０としては、例えば、ＢＳ（Ｂｒｏａｄｃａｓｔｉｎｇ  Ｓａｔｅｌｌｉｔｅ）デジタルチューナ、ＣＡＴＶ（ｃａｂｌｅ  ｔｅｌｅｖｉｓｉｏｎ）デジタルチューナ、地上波デジタルチューナ等が用いられる。
【００２７】
なお、映像送信装置２０は、デジタル放送波から１０分間映像情報を抽出し終わると同時に、抽出し終わった１０分間映像情報に基づくパケットを映像再生装置３０に送信するようになっている。例えば、映像送信装置２０は、図２に示すように、１時から１時１０分までのデジタル放送波から抽出した１０分間映像情報（以下「第１期映像情報」という。）に基づくパケット（以下「第１期パケット」という。）を１時１０分から映像再生装置３０に送信し始め、１時１０分から１時２０分までのデジタル放送波から抽出した１０分間映像情報（以下「第２期映像情報」という。）に基づくパケット（以下「第２期パケット」という。）を１時２０分から映像再生装置３０に送信し始め、１時２０分から１時３０分までのデジタル放送波から抽出した１０分間映像情報（以下「第３期映像情報」という。）に基づくパケット（以下「第３期パケット」という。）を１時３０分から映像再生装置３０に送信し始めるようになっている。
【００２８】
また、ゲートウェイ装置４０による１０分間ファイルの出力開始予定時は、１０分間ファイルに基づくパケットの映像送信装置２０による送信開始時から１０分後になっている。即ち、映像再生装置３０による１０分間映像情報の再生開始予定時は、１０分間ファイルに基づくパケットの映像送信装置２０による送信開始時から１０分後になっている。例えば、図２において、映像再生装置３０による第１期映像情報の再生開始予定時は、映像送信装置２０による第１期パケットの送信開始時である１時１０分から１０分後の１時２０分になっており、映像再生装置３０による第２期映像情報の再生開始予定時は、映像送信装置２０による第２期パケットの送信開始時である１時２０分から１０分後の１時３０分になっており、映像再生装置３０による第３期映像情報の再生開始予定時は、映像送信装置２０による第３期パケットの送信開始時である１時３０分から１０分後の１時４０分になっている。
【００２９】
また、映像送信装置２０は、１０分間ファイルに基づくパケットの送信開始時から１５分後まで、１０分間ファイルに基づくパケットを送信するようになっている。即ち、映像送信装置２０による１０分間映像情報の送信終了時は、映像再生装置３０による１０分間映像情報の再生開始予定時より後になっている。例えば、図２において、映像送信装置２０による第１期映像情報の送信終了時である１時２５分は、映像再生装置３０による第１期映像情報の再生開始予定時である１時２０分より後になっており、映像送信装置２０による第２期映像情報の送信終了時である１時３５分は、映像再生装置３０による第２期映像情報の再生開始予定時である１時３０分より後になっており、映像送信装置２０による第３期映像情報の送信終了時である１時４５分は、映像再生装置３０による第３期映像情報の再生開始予定時である１時４０分より後になっている。
【００３０】
また、映像送信装置２０による１０分間映像情報の送信開始時から映像再生装置３０による１０分間映像情報の再生開始予定時までは上述したように１０分間であるが、映像送信装置２０は、パケット送信部２４と映像再生装置３０との間の通信が途切れずに１つの１０分間映像情報がパケット送信部２４から映像再生装置３０に送信される場合の最大所要時間が１０分間より短くなるように、１０分間ファイルに基づくパケットを送信するようになっている。例えば、図２において、メタコンテンツ化によって生成されたパケットから元の１０分間ファイルを復元するためには上述したように５分間分のパケットが必要であるので、パケット送信部２４と映像再生装置３０との間の通信が途切れずに第１期映像情報がパケット送信部２４から映像再生装置３０に送信される場合の最大所要時間は、１時１６分３０秒から１時２５分までの８分３０秒間になっており、パケット送信部２４と映像再生装置３０との間の通信が途切れずに第２期映像情報がパケット送信部２４から映像再生装置３０に送信される場合の最大所要時間は、１時２６分３０秒から１時３５分までの８分３０秒間になっており、パケット送信部２４と映像再生装置３０との間の通信が途切れずに第３期映像情報がパケット送信部２４から映像再生装置３０に送信される場合の最大所要時間は、１時３６分３０秒から１時４５分までの８分３０秒間になっている。
【００３１】
また、映像再生装置３０は、１０分間映像情報の実際の再生開始時が再生開始予定時より後であるとき、次回の１０分間映像情報の再生開始予定時までに今回の１０分間映像情報の再生を終了することができる速度、即ち、通常の再生速度より速い速度で１０分間映像情報を再生するようになっている。
【００３２】
次に、映像配信システム１０の動作について説明する。
【００３３】
図２に示すように、１時から１時３０分までのデジタル放送波に基づく映像情報を映像再生装置３０で再生するときに、１時２４分３０秒から１時３１分までの期間と、１時３５分から１時３７分までの期間とで映像送信装置２０と映像再生装置３０との間の通信が途切れた場合について説明する。
【００３４】
映像送信装置２０は、デジタル放送波からＩＥＥＥ１３９４ケーブルを介してＭＰＥＧ−２信号による映像情報を映像情報抽出部２１によって抽出し、１時から１時１０分までのデジタル放送波に基づいて１０分間ファイルをファイル生成部２２によって生成する。
【００３５】
次いで、映像送信装置２０は、１時から１時１０分までのデジタル放送波に基づいて生成した１０分間ファイル（以下「第１期ファイル」という。）をメタコンテンツ化して複数の第１期パケットをパケット生成部２３によって生成し、生成した複数の第１期パケットを第１期映像情報の通常の再生速度より速い通信速度でパケット送信部２４によって映像再生装置３０に無線で１時１０分から送信し始める。
【００３６】
また、映像送信装置２０は、第１期パケットと同様に、１時１０分から１時２０分までのデジタル放送波に基づいて生成した１０分間ファイル（以下「第２期ファイル」という。）に基づいて生成した第２期パケットを１時２０分から送信し始め、１時２０分から１時３０分までのデジタル放送波に基づいて生成した１０分間ファイル（以下「第３期ファイル」という。）に基づいて生成した第３期パケットを１時３０分から送信し始める。
【００３７】
一方、映像再生装置３０のゲートウェイ装置４０は、映像送信装置２０によって送信された第１期パケットをパケット受信部４１によって１時１０分から受信し始め、復元に必要な数の第１期パケットの受信を１時１６分３０秒に終了する。次いで、ゲートウェイ装置４０は、受信した複数の第１期パケットに基づいてファイル復元部４２によって第１期ファイルを復元し、第１期ファイルにＩＥＥＥ１３９４ヘッダを付してＩＥＥＥ１３９４ケーブルを介してチューナ５０にファイル出力部４３によって第１期映像情報の再生開始予定時である１時２０分から出力し始める。そして、チューナ５０は、ゲートウェイ装置４０によって出力された第１期ファイルをファイル入力部５１によって入力し、入力した第１期ファイルを出力信号生成部５２によってデコードして出力信号を生成し、生成した出力信号を信号出力部５３によってディスプレイ６０に出力する。したがって、ディスプレイ６０には、１時から１時１０分までのデジタル放送で放送された映像と同じ映像が通常の再生速度で第１期映像情報の再生開始予定時である１時２０分から１時３０分まで表示される。
【００３８】
また、ゲートウェイ装置４０は、映像送信装置２０によって送信された第２期パケットをパケット受信部４１によって１時２０分から受信し始め、１時２４分３０秒から１時３１分までの期間で映像送信装置２０と映像再生装置３０との間の通信が途切れているので、復元に必要な数の第２期パケットの受信を１時３５分に終了する。次いで、ゲートウェイ装置４０は、受信した複数の第２期パケットに基づいてファイル復元部４２によって第２期ファイルを復元し、第２期ファイルにＩＥＥＥ１３９４ヘッダを付してＩＥＥＥ１３９４ケーブルを介してチューナ５０にファイル出力部４３によって第２期映像情報の再生開始予定時である１時３０分より遅い１時３５分から出力し始める。そして、チューナ５０は、ゲートウェイ装置４０によって出力された第２期ファイルをファイル入力部５１によって入力し、入力した第２期ファイルを出力信号生成部５２によってデコードして出力信号を生成し、生成した出力信号を信号出力部５３によってディスプレイ６０に出力する。ここで、チューナ５０は、第２期映像情報の実際の再生開始時が再生開始予定時より後であるので、第３期映像情報の再生開始予定時である１時４０分までに第２期映像情報の再生を終了することができるように、通常の再生速度より早い速度で第２期映像情報を再生する。したがって、ディスプレイ６０には、１時３０分から１時３５分までは何も表示されず、１時１０分から１時２０分までのデジタル放送で放送された映像と同じ映像が通常より早い再生速度で第２期映像情報の再生開始予定時より遅い１時３５分から１時４０分まで表示される。
【００３９】
また、ゲートウェイ装置４０は、映像送信装置２０によって送信された第３期パケットをパケット受信部４１によって１時３０分から受信し始め、１時２４分３０秒から１時３１分までの期間と、１時３５分から１時３７分までの期間とで映像送信装置２０と映像再生装置３０との間の通信が途切れているので、復元に必要な数の第３期パケットの受信を１時３９分３０秒に終了する。次いで、ゲートウェイ装置４０は、受信した複数の第３期パケットに基づいてファイル復元部４２によって第３期ファイルを復元し、第３期ファイルにＩＥＥＥ１３９４ヘッダを付してＩＥＥＥ１３９４ケーブルを介してチューナ５０にファイル出力部４３によって第３期映像情報の再生開始予定時である１時４０分から出力し始める。そして、チューナ５０は、ゲートウェイ装置４０によって出力された第３期ファイルをファイル入力部５１によって入力し、入力した第３期ファイルを出力信号生成部５２によってデコードして出力信号を生成し、生成した出力信号を信号出力部５３によってディスプレイ６０に出力する。したがって、ディスプレイ６０には、１時２０分から１時３０分までのデジタル放送で放送された映像と同じ映像が通常の再生速度で第３期映像情報の再生開始予定時である１時４０分から１時５０分まで表示される。
【００４０】
以上に説明したように、パケット送信部２４と映像再生装置３０との間の通信が途切れずに１つの１０分間映像情報がパケット送信部２４から映像再生装置３０に送信される場合の最大所要時間が、映像送信装置２０による１０分間映像情報の送信開始時から映像再生装置３０による１０分間映像情報の再生開始予定時までより短いので、映像配信システム１０は、映像再生装置３０が１０分間映像情報を取得する時間に余裕があり、映像送信装置２０と映像再生装置３０との間の無線通信が電波の遮断などによって停止したとしても、映像再生装置３０によって再生される映像を従来より途切れ難くすることができる。
【００４１】
また、映像配信システム１０は、映像送信装置２０によってデジタル放送波からＭＰＥＧ−２信号を抽出して映像再生装置３０に送信するので、映像再生装置３０がデジタル放送波を直接受信して再生したときと同じ品質の映像を映像再生装置３０に再生させることができる。
【００４２】
また、映像配信システム１０は、誤り訂正が不要なメタコンテンツテクノロジを用いているので、誤り訂正が必要な通信プロトコルを用いる構成と比較して、２倍以上効率良く映像情報の通信を行うことができる。したがって、映像配信システム１０は、映像再生装置３０によって再生される映像をより途切れ難くすることができる。なお、映像配信システム１０は、誤り訂正が必要な通信プロトコルを用いる構成であっても良い。
【００４３】
また、映像配信システム１０は、映像再生装置３０による１０分間映像情報の再生開始予定時より後であっても１０分間映像情報の再生を開始することができるので、再生開始予定時より後に１０分間映像情報の再生を開始することができない構成と比較して、映像再生装置３０によって再生される映像が途切れる時間を短縮することができる。なお、映像配信システム１０は、再生開始予定時より後に１０分間映像情報の再生を開始することができない構成であっても良い。
【００４４】
また、映像配信システム１０は、映像再生装置３０による１０分間映像情報の実際の再生開始時が再生開始予定時より後であるとき、通常の再生速度より速い速度で映像再生装置３０が１０分間映像情報を再生するので、映像情報全体の再生の遅れを抑止しながらも、映像の内容の連続性を維持することができる。
【００４５】
なお、映像配信システム１０は、所定時間分の映像情報である所定時間映像情報として１０分間分の映像情報が用いられているが、所定時間映像情報として１０分間以外の時間分の映像情報が用いられるようになっていても良い。
【産業上の利用可能性】
【００４６】
以上のように、本発明に係る映像配信システムは、映像を従来より途切れ難くすることができるという効果を有し、自動車、電車、飛行機等の移動体用の映像配信システム等として有用である。
【図面の簡単な説明】
【００４７】
【図１】本発明の一実施の形態に係る映像配信システムの構成を示すブロック図
【図２】図１に示す映像配信システムの動作を説明する図
【符号の説明】
【００４８】
１０  映像配信システム
２０  映像送信装置
２４  パケット送信部（映像送信手段）
３０  映像再生装置
５３  信号出力部（映像再生手段） 
【図１】
2005295330.tif 000003
【図２】
2005295330.tif 000004